(57)【要約】 【課題】  透過モード時に異なる色を表示する画素間の境界を反射モード時においても識別できることによって視認性を確保する液晶表示装置、及び電子機器を提供する。【解決手段】  各サブ画素５５１Ｒ，５５１Ｇ，５５１Ｂに設けられた反射領域と透過領域５２１ａとで表示を行う半透過反射型の液晶表示装置であって、各サブ画素５５１Ｒ，５５１Ｇ，５５１Ｂの反射領域が、白黒表示又は単色の階調表示を行うための領域とされるとともに、透過領域が、画素内でカラー表示を行うための領域とされ、各サブ画素５５１Ｒ，５５１Ｇ，５５１Ｂ内の反射領域における反射率を、異なる色のサブ画素５５１Ｒ，５５１Ｇ，５５１Ｂ毎に異ならせることを特徴とする。【選択図】        図４
2006071987.tif 000002
【特許請求の範囲】
【請求項１】
液晶層を挟んで対向配置された第１基板と第２基板とからなる一対の基板と、マトリクス状に配置された複数の画素と、前記第２基板に設けられ、前記第１基板側からの入射光を反射する反射層と、前記各画素を構成する複数のサブ画素と、前記各サブ画素に対応して異なる色の着色層が配列されたカラーフィルタと、前記第２基板の外面側に設けられた照明装置とを有し、前記各サブ画素に設けられた反射領域と透過領域とで表示を行う半透過反射型の液晶表示装置であって、
前記各サブ画素の前記反射領域が、白黒表示又は単色の階調表示を行うための領域とされるとともに、
前記透過領域が、前記画素内でカラー表示を行うための領域とされ、
前記各サブ画素内の前記反射領域における反射率を、異なる色の前記サブ画素毎に異ならせることを特徴とする液晶表示装置。
【請求項２】
前記各サブ画素の前記反射領域の面積を、異なる色の前記サブ画素毎に異ならせることにより、異なる色の前記サブ画素毎に前記反射領域の反射率を異ならせることを特徴とする請求項１に記載の液晶表示装置。
【請求項３】
前記サブ画素毎の面積は同じであり、前記サブ画素毎の透過領域の面積を異ならせることに応じて、前記反射領域の面積を異ならせることにより、異なる色の前記サブ画素毎に前記反射領域の反射率を異ならせることを特徴とする請求項２に記載の液晶表示装置。
【請求項４】
前記サブ画素内の前記反射領域に対応する遮光部が設けられ、
前記サブ画素毎に設けられた前記遮光部の面積を異ならせることに応じて、前記反射領域の面積を異ならせることにより、異なる色の前記サブ画素毎に前記反射領域の反射率を異ならせることを特徴とする請求項２又は３に記載の液晶表示装置。
【請求項５】
前記遮光部が、前記各サブ画素同士の間に設けられた遮光膜又は配線からなることを特徴とする請求項４に記載の液晶表示装置。
【請求項６】
前記各サブ画素の前記反射層に凹凸が設けられ、
前記各サブ画素の前記反射層に設けられた前記凹凸による反射光の散乱度を、異なる色の前記サブ画素毎に異ならせることにより、異なる色の前記サブ画素毎に前記反射領域の反射率を異ならせることを特徴とする請求項１乃至５のいずれか１項に記載の液晶表示装置。
【請求項７】
少なくとも２つの前記サブ画素の前記反射層に開口部を設け、前記２つのサブ画素の開口部の面積を異ならせることにより、異なる色の前記サブ画素毎に前記反射領域の反射率を異ならせることを特徴とする請求項１乃至６のいずれか１項に記載の液晶表示装置。
【請求項８】
少なくとも２つの前記サブ画素の前記反射層に重なるように、セルギャップを規定するためのスペーサーを設け、前記各サブ画素内の前記スペーサーの占有面積を異ならせることにより、異なる色の前記サブ画素毎に前記反射領域の反射率を異ならせることを特徴とする請求項１乃至７のいずれか１項に記載の液晶表示装置。
【請求項９】
少なくとも２つの前記サブ画素内に、入射する光の強度を調整するフィルタを設け、前記各サブ画素内の前記フィルタの占有面積又は光透過性を異ならせることにより、異なる色の前記サブ画素毎に前記反射領域の反射率を異ならせることを特徴とする請求項１乃至８のいずれか１項に記載の液晶表示装置。
【請求項１０】
異なる色の前記着色部が、Ｒ（赤），Ｇ（緑），Ｂ（青）の各色に対応して設けられ、
前記Ｒ（赤），Ｇ（緑），Ｂ（青）の異なる色からなる前記サブ画素の前記反射層の反射率が、Ｇ（緑）のサブ画素、Ｒ（赤）のサブ画素、Ｂ（青）のサブ画素、の順に高いことを特徴とする請求項１乃至９のいずれか１項に記載の液晶表示装置。
【請求項１１】
請求項１乃至１０のいずれか１項に記載の液晶表示装置を備える電子機器。
【発明の詳細な説明】
【技術分野】
【０００１】
本発明は、液晶表示装置、及び電子機器に関する。
【背景技術】
【０００２】
反射型の液晶表示装置は、バックライト等の光源を持たないために消費電力が小さいという利点を有するものであり、従来から、種々の携帯型電子機器などの付属的な表示部等に利用されている。ところが、反射型の液晶表示装置は、太陽光等の自然光や照明光などの外光を利用して表示するため、暗い場所では表示部に表示される文字等を視認することが難しいという欠点があった。
【０００３】
そこで、明るい場所では通常の反射型の液晶表示装置と同様に外光を利用し、暗い場所ではバックライトなどの内部の光源を利用して表示を視認可能にした液晶表示装置が広く利用されている。つまり、この液晶表示装置は、反射型と透過型を兼ね備えた表示方式を採用しており、周囲の明るさに応じて反射モード又は透過モードのいずれかの表示方式に切り替えることにより、消費電力を低減しつつ周囲が暗い場合でも明瞭な表示が行えるようにしたものである。従って、反射型表示においては外光が表示に寄与するのに対し、透過型表示においては照明装置（バックライト）から出射された光（以下、「照明光」という。）が表示に寄与する。
以下、本明細書では、この種の液晶表示装置のことを「半透過反射型液晶表示装置」という。
【０００４】
さて、半透過反射型液晶表示装置は、一対の基板間に液晶を挟持してなる液晶表示パネルと、当該液晶表示パネルの観察側とは反対側に設けられて当該液晶表示パネルの基板面に光を照射する照明装置とを備えるのが一般的である。さらに、上記液晶表示パネルの観察側とは反対側の基板には、複数の開口部を有する反射層（半透過反射層）が設けられている。
【０００５】
また、近年、携帯型電子機器やＯＡ機器などの発展に伴って、液晶表示のカラー化が要求されるようになり、上述した半透過反射型液晶表示装置が備えられるような電子機器においても、カラー化が要求される場合が多くなってきている。
この要求に対応するカラーの半透過反射型液晶表示装置としては、カラーフィルタを備えた半透過反射型液晶表示装置が提案されている。このようなカラーの半透過反射型液晶表示装置では、反射モード時に液晶表示装置に入射した外光は、カラーフィルタを透過してから、反射板によって反射されて、再びカラーフィルタを透過するようになっている。
また、透過モード時には、バックライトからの光がカラーフィルタを透過するようになっている。また、反射モード時にも透過モード時にも同じカラーフィルタが使用される。
【０００６】
しかしながら、上記半透過反射型液晶表示装置においては、反射型表示の場合及び透過型表示の場合のいずれの場合においても、白黒表示又はカラー表示のいずれかの表示しか行うことができなかった。例えば、携帯電話用の液晶表示装置の場合、待ち受け時（バックライト非点灯による反射表示）とオペレーション時（バックライト点灯による透過表示）の場合のように、前者の場合を白黒表示で、また後者の場合をカラー表示にする等して、多様性を持たせることができないという問題があった。また、表示の明るさ及び視認性を向上させるためには、バックライトの電力供給量を上げるか、又は反射型表示又は透過型表示のいずれか一方の明るさ及び視認性を犠牲にするしかなく、コストを上昇させることなく明るさ及び視認性を向上させた液晶表示装置は未だ得られていないのが現状である。
【０００７】
そこで、基板上に実質的に光が通過できる透過孔を有する反射膜と、透過孔に対応する領域内に設けられた着色層とから構成されるカラーフィルタを備える液晶表示装置が開示されている（例えば、特許文献１）。この発明によれば、反射型表示時に白黒表示し、透過型表示時にカラー表示することが可能であるとともに、コストを上昇させることなく、透過型表示時又は反射型表示時における表示の明るさ又は視認性を向上させた、液晶表示装置を提供することができる。
【特許文献１】特開２００３−４３２３９号公報
【発明の開示】
【発明が解決しようとする課題】
【０００８】
ところで、上記液晶表示装置を構成するカラーフィルタは、外光等からの入射光を反射する反射層と、照明光を透過する透過部と、この透過部上に形成されるＲ（赤），Ｇ（緑），Ｂ（青）色の各々の着色部を有するサブ画素から構成されている。そして、これらの各色のサブ画素の反射層に設けられる透過部は、Ｒ（赤），Ｇ（緑），Ｂ（青）色に対応するサブ画素ともに同じ面積、即ち開口率で形成されている。
従って、上記特許文献１に開示の発明では、Ｒ（赤），Ｇ（緑），Ｂ（青）色に対応するサブ画素の反射層の面積も同じ面積となる。そのため、透過モード時から反射モード時に表示モードが切り替わった際に、例えば、原色（Ｒ，Ｇ，Ｂのうち１色）の背景に原色（Ｒ，Ｇ，Ｂのうち１色）の文字等の画像を表示していた場合、各画素を構成する異なる色のサブ画素毎の入射光に対する反射率が同じであるため、背景と文字等の境界に明度差が生じず、背景と文字等の境界を識別することができないという問題があった。これにより、反射モード時に観察者の視認性の低下を招いてしまった。
本発明は、上記課題に鑑みてなされたものであり、その目的は、透過モード時に異なる色を表示する画素間の境界を反射モード時においても識別できることによって視認性を確保する液晶表示装置、及び電子機器を提供することにある。
【課題を解決するための手段】
【０００９】
本発明は、上記課題を解決するために、液晶層を挟んで対向配置された第１基板と第２基板とからなる一対の基板と、マトリクス状に配置された複数の画素と、前記第２基板に設けられ、前記第１基板側からの入射光を反射する反射層と、前記各画素を構成する複数のサブ画素と、前記各サブ画素に対応して異なる色の着色層が配列されたカラーフィルタと、前記第２基板の外面側に設けられた照明装置とを有し、前記各サブ画素に設けられた反射領域と透過領域とで表示を行う半透過反射型の液晶表示装置であって、前記各サブ画素の前記反射領域が、白黒表示又は単色の階調表示を行うための領域とされるとともに、
前記透過領域が、前記画素内でカラー表示を行うための領域とされ、前記各サブ画素内の前記反射領域における反射率を、異なる色の前記サブ画素毎に異ならせることを特徴とする。
【００１０】
本願発明は、半透過反射型の液晶表示装置であり、透過型表示時にはカラー表示をし、反射型表示時には白黒表示又は単色の階調表示をする。また、本願発明において、サブ画素とは、液晶を個別に駆動できる最小単位のことであり、液晶層を挟持する一対の電極が対向する領域である。また、これらの異なる色の着色層を有する複数のサブ画素により、表示画像の最小単位である画素（ドット）が形成される。なお、ここでサブ画素は２つの画素電極に対応して設けられたものであり、例えば、一対の基板の一方の基板に設けられた画素電極と、他方の基板設けられた画素電極との重なり部分に形成されるものである。
従来、異なる色のサブ画素毎に設けられる反射領域の反射率は、全てのサブ画素において等しく形成されていた。即ち、第１基板側からの入射光は、異なる色の全てのサブ画素において同じ反射率によって反射され、この反射光が第１基板側の観察者によって視認されていた。
このような場合に、例えば、透過表示時、隣接（近接）する画素間において各々の画素が異なる色のサブ画素のいずれか１つのサブ画素により表示する場合を仮定する。透過表示時の場合、各々の画素は異なる色のサブ画素により表示しているため、隣接する画素間においては、色差及び／又は明度差が生じ、観察者は隣接する画素間の境界を識別することができる。
ここで例えば、白黒表示を考えた場合、反射表示時は、反射領域に着色層が存在しないため白黒表示となる。従って、隣接する画素の各々が、異なる色のサブ画素のいずれか１つのサブ画素により表示する場合、各画素のサブ画素に設けられる反射領域の反射率は等しいため、隣接する画素から射出される反射光の光量も等しくなる。よって、隣接する画素間においては、明度差が存在せず、もちろん色差もないため、観察者は隣接する画素間の境界を識別することができない。
これに対して、本願発明によれば、サブ画素内の反射領域における反射率を、異なる色のサブ画素毎に異ならせているため、各サブ画素から射出される反射光の光量は異なる。従って、反射表示時においては、各画素のサブ画素の反射領域の反射率が異なるため、隣接する画素から射出される反射光の光量は異なり、隣接する画素間においては明度差が生じ、観察者は隣接する画素間の境界を識別することができる。また、透過表示時においては、従来と同様にカラー表示であるため、観察者は、隣接する画素間の色差及び／又は明度差を認識することができる。よって、本願発明では、隣接する画素間の境界を識別することが可能となり、反射表示時における観察者の視認性を確保することができる。
【００１１】
また、本発明の液晶表示装置は、前記各サブ画素の前記反射領域の面積を、異なる色の前記サブ画素毎に異ならせることにより、異なる色の前記サブ画素毎に前記反射領域の反射率を異ならせることも好ましい。
この構成によれば、異なる色のサブ画素毎に反射領域の面積を異ならせているため、異なる色のサブ画素毎に反射領域に入射する光量が異なる。これに伴い、各サブ画素毎の反射領域によって反射する反射光の光量を異ならせることができる。従って、隣接する画素間において、明度差が生じ、観察者は隣接する画素間の境界を識別することができる。
さらに、各サブ画素の反射領域の反射率を、反射領域の面積によって異ならせることができるため、各サブ画素毎の反射率の調整が容易となり、また、他の手段と比較してプロセスが容易となる。
【００１２】
また、本発明の液晶表示装置は、前記サブ画素毎の面積は同じであり、前記サブ画素毎の透過領域の面積を異ならせることに応じて、前記反射領域の面積を異ならせることにより、異なる色の前記サブ画素毎に前記反射領域の反射率を異ならせることも好ましい。
前記サブ画素毎の透過領域の面積を異ならせることに応じて、前記反射領域の面積を異ならせることにより、異なる色の前記サブ画素毎に前記反射領域の反射率を異ならせることも好ましい。
一般的に、画素を構成する異なる色のサブ画素の外形の面積は、それぞれ等しくなるように設けられている。従って、本願発明によれば、各サブ画素の透過領域の面積を異ならせると、これに伴って反射領域の面積も変動することになる。これにより、上述したように隣接する画素間の境界を識別することができるとともに、例えば、観察者の視感度が弱い色に対応するサブ画素の透過領域の面積を他のサブ画素の透過領域の面積よりも大きくすることによって、観察者の視感度に近い感度特性を実現することができる。
【００１３】
また、本発明の液晶表示装置は、前記サブ画素内の前記反射領域に対応する遮光部が設けられ、前記サブ画素毎に設けられた前記遮光部の面積を異ならせることに応じて、前記反射領域の面積を異ならせることにより、異なる色の前記サブ画素毎に前記反射領域の反射率を異ならせることも好ましい。さらに、上記液晶表示装置の遮光部が、前記各サブ画素同士の間に設けられた遮光膜又は配線からなることも好ましい。
この構成によれば、異なる色のサブ画素毎に遮光部の領域を異ならせているため、異なる色のサブ画素毎に反射領域が異なる。これに伴い、各サブ画素毎の反射領域によって反射する反射光の光量を異ならせることができる。従って、隣接する画素間において、明度差が生じ、観察者は隣接する画素間の境界を識別することができる。
【００１４】
また、本発明の液晶表示装置は、前記各サブ画素の前記反射層に凹凸が設けられ、前記各サブ画素の前記反射層に設けられた前記凹凸による反射光の散乱度を、異なる色の前記サブ画素毎に異ならせることにより、異なる色の前記サブ画素毎に前記反射領域の反射率を異ならせることも好ましい。
この構成によれば、サブ画素の凹凸による反射光の散乱度が高い場合には、正反射の方向に弱く反射されるため、入射光の反射率が高く、観察者側に射出される光量は強くなる。一方、サブ画素の凹凸による散乱度が低い場合には、正反射の方向に強く反射されるため、反射光の反射率が低く、観察者側に射出される光量は低くなる。従って、各サブ画素の反射層に設けられた凹凸による反射光の散乱度を、異なる色のサブ画素毎に異ならせ、各サブ画素毎の反射領域によって反射する反射光の光量を異ならせることができる。従って、隣接する画素間において、明度差が生じ、観察者は隣接する画素間の境界を識別することができる。
【００１５】
また、本発明の液晶表示装置は、少なくとも２つの前記サブ画素の前記反射層に開口部を設け、前記２つのサブ画素の開口部の面積を異ならせることにより、異なる色の前記サブ画素毎に前記反射領域の反射率を異ならせることも好ましい。
一般的に、異なる色からなる各サブ画素は、基板上に金属等からなる反射層が設けられた構造となっている。従って、本願発明によれば、反射層に開口部を設け、反射層に開口部を設けた領域においては、入射した光は反射されることなく第２基板を通過する。よって、反射層に開口部を設けて、各サブ画素の反射層の反射率を異ならせることによって、各サブ画素毎の反射光の光量を異ならせることができる。その結果、隣接する画素間において、明度差が生じ、観察者は隣接する画素間の境界を識別することができる。
【００１６】
また、本発明の液晶表示装置は、少なくとも２つの前記サブ画素の前記反射層に重なるように、セルギャップを規定するためのスペーサーを設け、前記各サブ画素内の前記スペーサーの占有面積を異ならせることにより、異なる色の前記サブ画素毎に前記反射領域の反射率を異ならせることも好ましい。
この構成によれば、スペーサーは、第１基板と第２基板との間に挟持されており、スペーサーの設置部分には液晶層が存在しない。従って、例えば、スペーサーが透明材料から形成されている場合、第１基板側から入射した光は、スペーサーを透過して第２基板の反射層によって反射され、再び第１基板に射出される。これにより、スペーサーの設ける数を増減させることによって、各サブ画素に設けられた反射領域の反射率を異ならせることができる。
【００１７】
また、本発明の液晶表示装置は、少なくとも２つの前記サブ画素内に、入射する光の強度を調整するフィルタを設け、前記各サブ画素内の前記フィルタの占有面積又は光透過性を異ならせることにより、異なる色の前記サブ画素毎に前記反射領域の反射率を異ならせることも好ましい。
この構成によれば、少なくとも１つのサブ画素に入射光の光量を調整するフィルタを設けているため、フィルタを設けたサブ画素に入射する光量と、他のサブ画素に入射する光量とを異ならせることができる。これに伴い、異なる色のサブ画素毎の反射領域によって反射する反射光の光量を異ならせることができる。従って、隣接する画素間において、明度差が生じ、観察者は隣接する画素間の境界を識別することができる。
【００１８】
また、本発明の液晶表示装置は、異なる色の前記着色部が、Ｒ（赤），Ｇ（緑），Ｂ（青）の各色に対応して設けられ、前記Ｒ（赤），Ｇ（緑），Ｂ（青）の異なる色からなる前記サブ画素の前記反射層の反射率が、Ｇ（緑）のサブ画素、Ｒ（赤）のサブ画素、Ｂ（青）のサブ画素、の順に高いことを特徴とする。
一般的に、Ｒ（赤），Ｇ（緑），Ｂ（青）のサブ画素の各々の面積は同じ大きさで設けられている。また、観察者にとっては、Ｂ（青）色に対応するサブ画素からの射出光である青色の光に対しては、Ｇ（緑）色に対応するサブ画素からの射出光である緑色の光よりも感度特性が弱くなっている。
本願発明によれば、Ｒ（赤），Ｇ（緑），Ｂ（青）に対応する各サブ画素の反射層の反射率は、Ｇ（緑）色に対応するサブ画素の反射層の反射率がＲ（赤）色に対応するサブ画素の反射層の反射率よりも大きくなるように形成され、Ｒ（赤）色に対応するサブ画素の反射層の反射率がＢ（青）に対応するサブ画素の反射層の反射率よりも小さくなるように形成されている。これにより、隣接する画素間の境界に明度差をつけて区別することが可能となり、反射表示時の視認性を確保することができるとともに、観察者の視感度に近い感度特性を実現することができる。
【００１９】
また、本発明は上記液晶表示装置を備える電子機器である。
本願発明によれば、上記液晶表示装置を備えるため、視認性に優れ、かつ、表示品質を向上させた電子機器を実現することができる。
【発明を実施するための最良の形態】
【００２０】
以下、本発明の最良の形態である一実施例を図面を参照して説明する。なお、以下の全ての図において、各層や各部材を図面上で認識可能な程度の大きさとするため、各層や各部材の縮尺を適宜変更している。
【００２１】
［第１の実施形態］
次に、本発明に係る実施形態について図面を参照して説明する。
<電気光学装置>
図１は、本実施形態の液晶表示装置の構成を模式的に示す平面図である。ここで、本実施形態の電気光学装置は、バックライト（図示省略）からの入射光を透過して表示する透過表示モードと、観察者側からの入射光を反射して表示する反射表示モードとを備える半反射透過型である。また、本実施形態では、スイッチング素子として二端子型非線形素子であるＴＦＤ（Thin Film Diode）素子を用いたアクティブマトリクス方式の液晶表示装置を採用している。
【００２２】
図１に示すように、本実施形態の液晶表示装置１００は、一対の第１基板３と第２基板２（以下、図１において図示省略）とが紫外線硬化性のシール材５２によって貼り合わされ、このシール材５２によって区画された領域内に液晶４が封入、保持されている。シール材５２は、基板面内において閉ざされた環状（枠状）に形成されており、液晶注入口を備えていない構成となっている。つまり、液晶注入口を封止する封止材を備えておらず、環状全体が同一の材料にて連続的に構成されている。なお、液晶注入口を備え、これを封止材により封止した構成のシール材を採用することも可能である。
【００２３】
矩形環状のシール材５２のうち、図１に示す第１基板３の右辺、左辺（対向した２つの辺）に沿う部分には、第１基板３と第２基板２との間で電気的に導通するための導電性粒子（基板間導通部）２０６が含有されている。なお、この導電性粒子２０６には、異方性導電粒子を使用している。
【００２４】
また、本実施の形態では、第２基板２よりも第１基板３の外形寸法の方が大きく、第２基板２と第１基板３の３辺（図１における上辺、右辺、左辺）では略縁（基板の端面）が揃っているが、第２基板２の残りの１辺（図１における下辺）からは第１基板３の周縁部が張り出すように配置され、張出領域９０を形成している。
張出領域９０には、第１基板３側に形成された後述する画素電極を駆動するための第１駆動ＩＣ２０１と、第２基板２側に形成された後述するデータ線を駆動するための第２駆動ＩＣ２０２とが実装されている。なお、各駆動ＩＣ２０１，２０２には図示しない外部接続端子が形成され、当該液晶表示装置１００とは異なる外部機器から表示制御信号等を受信可能な構成となっている。
【００２５】
第１駆動ＩＣ２０１及び第２駆動ＩＣ２０２は、ともに第１基板３上に配設され、しかも矩形状の第１基板３の同一の張出領域９０に形成されている。第１駆動ＩＣ２０１は、第１基板３側に形成された信号線を介してＴＦＤ素子５１５（図４参照）、ひいては画素電極５１３に信号を送信するためのＩＣであって、該第１基板３に形成された配線２０５を介して信号供給が行われている。
【００２６】
第２駆動ＩＣ２０２は第１基板３に形成される一方、第２基板２に形成されたデータ線５２７に信号を送信するためのＩＣであるため、第１基板３に形成された引き廻し配線２０７を介し、さらにシール材５２に形成された導通性粒子２０６を介してデータ線５２７に信号が供給されるものとなっている。ここで、引き廻し配線２０７は、図１に示したシール材５２の下辺部を跨いで、該シール材５２の環状内側から導通性粒子２０６に接続されている。
【００２７】
ここで、導電性粒子２０６は、異方性導電粒子を用いて構成されており、上下方向の接続が確実なものとなるように、上下に弾性変形した形にて配設されている。該粒子２０６は、基板貼り合わせ前において、液晶層厚を規定するスペーサー（図示略）の直径よりも０．１μｍ〜１．０μｍ程度大きな直径を有したものを用いるのが良く、これを上下に１％〜１０％程度圧縮させて用いるのが良い。
【００２８】
なお、液晶表示装置１００においては、使用する液晶４の種類、すなわちＴＮ（Twisted Nematic）モード、ＳＴＮ（Super Twisted Nematic）モード、ＶＡＮ（Vertical Aligned Nematic）モード等の動作モードや、ノーマリホワイトモード／ノーマリブラックモードの別に応じて、位相差板、偏光板等が所定の向きに配置されるが、ここでは図示を省略する。
【００２９】
図２は、図１に示す液晶表示装置１００のＡ−Ａ‘線に沿った断面図である。図３は、図２に示す液晶表示装置１００の第１基板３とこれに対向配置される第２基板２の主要部を拡大して表示した分解斜視図である。図４は、図３に示す液晶表示装置１００の第２基板２の表面を拡大して表示した平面図である。なお、図２においては、実施形態の理解を容易とするため、ブラックマトリクスを省略して説明している。
【００３０】
図２，３に示すように、液晶表示装置１００は、シール材５０３を介して貼り合わされた一対の第１基板３及び第２基板２の間に液晶（液晶層）４を挟んだ構成の液晶表示パネル（液晶パネル）５００と、当該液晶表示パネル５００の第２基板２側に配設されたバックライト５（照明装置）とを備えている。なお、以下では、図１に示すように、液晶表示パネル５００に対してバックライト５とは反対側を「観察側」と表記する。つまり、「観察側」とは、当該液晶表示装置によって表示された画像を視認する観察者が位置する側である。
【００３１】
液晶表示パネル５００の第１基板３及び第２基板２は、ガラス、石英、プラスティック等の光透過性を有する板状部材で形成されている。
バックライト５は、複数のＬＥＤ６２１（図２においては１個だけが図示されている。）と導光板６２２とを備えている。複数のＬＥＤ６２１は、導光板６２２の側端面に対向するように配置され、この側端面に対して光を照射する。導光板６２２は、この側端面に入射したＬＥＤ６２１からの光を、液晶表示パネル５００の基板面（第２基板２の表面）に対して一様に導くための板状部材である。また、導光板６２２のうち液晶表示パネル５００と対向する面には、当該導光板６２２からの出射光を液晶表示パネル５００に対して一様に拡散させる拡散板等が貼着される一方、これとは反対側の面には、導光板６２２から液晶表示パネル５００とは反対側に向かう光を液晶表示パネル５００側に反射させる反射板が貼着される（いずれも図示省略）。
【００３２】
第１基板３の内側表面には、図２，３に示すように、マトリクス状に配列される複数の画素電極５１３と、各画素電極５１３に隣接して所定の方向（図２における紙面垂直方向）に延在する複数の走査線１４とが形成されている。各画素電極５１３は、例えばＩＴＯ等の透明導電材料を材料にして蒸着法等により形成されている。また、図３に示すように、各画素電極５１３は、対向配置される第２基板２の後述するサブ画素Ｒ（赤），Ｇ（緑），Ｂ（青）の各々の位置に対応して形成されている。さらに、各画素電極５１３と、この画素電極５１３に隣接してストライプ状に設けられる走査線１４とは、ＴＦＤ素子５１５を介して接続されている。ここで、各ＴＦＤ素子５１５は、非線形な電流−電圧特性を有する二端子型スイッチング素子である。
【００３３】
また、図２に示すように、上記画素電極５１３，走査線１４等を含む第１基板３の内面には、これらを覆うようにして配向膜１５が形成されている。この配向膜１５は、ポリイミド等の有機薄膜であり、電圧が印加されていないときの液晶４の配向方向を規定するためのラビング処理が施されている。
【００３４】
一方、第２基板２の内面には、図２，３に示すように、反射層５２１が存在する反射領域と、反射層５２１が存在しない領域に透過領域５２１ａとが形成されている。なお、本実施形態においては、図４に示すように、各画素電極５１３と各データ線５２７とが対向する領域をサブ画素５５１（より具体的には、着色層５２２Ｒ、５２２Ｇ及び５２２Ｂの各々に対応するサブ画素５５１Ｒ、５５１Ｇ及び５５１Ｂ）としている。そして、相互に色が異なる３つのサブ画素５５１Ｒ、５５１Ｇ及び５５１Ｂにより、表示画像の最小単位である画素（ドット）６１５が形成される。
【００３５】
反射層５２１は、例えば、光反射性の金属材料であるＡｌ（アルミニウム）を材料としてフォトリソグラフィー処理及びエッチング処理によって形成される。また、反射層５２１は、図２，３に示すように、対向配置される第１基板３の各画素電極５１３の位置に対応して、第２基板２の内側表面にマトリクス状に配列されている。そして、各反射層５２１は、図３に示すように、画素電極５１３と同様に矩形状に形成され、各反射層５２１の外形の面積は等しくなっている。これにより、各反射層５２１に設けられる透過領域５２１ａの面積を異ならせることによって、各反射層５２１の面積の大きさを異ならせることができるようになっている。また、反射層５２１の表面には、観察側からの入射光の拡散性を向上させるため、微細な複数の凹凸パターンを形成することも好ましい。
【００３６】
また、反射層５２１には、バックライト５からの射出光を透過させる透過領域５２１ａが形成されている。具体的には、矩形状からなる反射層５２１の略中央部に、例えば矩形状の開口部が形成され、この開口部が透過領域５２１ａを構成している。従って、本実施形態において、透過領域５２１ａは、反射層５２１が存在しない領域に、反射層５２１に重ならないようにして設けられている。透過領域５２１ａは、例えば、反射層５２１のパターニング工程と同時に行われ、フォトリソグラフィー処理及びエッチング処理が施されることによって形成される。
なお、上記透過領域５２１ａの開口部は、第２基板２の表面が露出されるようにして、第２基板２上に形成される反射層５２１に形成しても良いし、透過領域５２１ａの反射層５２１の膜厚をバックライト５からの光が通過することができる程度に薄く形成することも好ましい。
【００３７】
着色層５２２Ｒ，５２２Ｇ，５２２Ｂは、カラー表示の３原色であるＲ（赤），Ｇ（緑），Ｂ（青）の３色によって構成されている。ここで、着色層５５２ＲはＲ（赤）色に対応し、同様に、着色層５５２ＧはＧ（緑）色、着色層５５２ＢはＢ（青）に対応している。この着色層５２２Ｒ，５２２Ｇ，５２２Ｂは、Ｒ（赤），Ｇ（緑），Ｂ（青）色の樹脂顔料等をインクジェット法等により、第２基板２の所定の色に対応する透過領域５２１ａ上にパターン形成される。そして、着色層５２２Ｒ，５２２Ｇ，５２２Ｂは、図２，３に示すように、各色に対応したサブ画素５５１Ｒ，５５１Ｇ，５５１Ｂの反射層５２１に設けられた透過領域５２１ａに形成されている。即ち、着色層５２２Ｒ，５２２Ｇ，５２２Ｂは、反射層５２１上には原則として形成されない。また、着色層５２２Ｒ，５２２Ｇ，５２２Ｂは、所定の配列パターン、例えば、平面視ストライプ状、モザイク状、デルタ状等の所定の配列パターンにより形成される。なお、上記着色層５２２は、インクジェット法等により着色材料を塗布して形成する際に、透過領域５２１ａの全面に着色層５２２を形成するために、着色層５２２の一部が反射層５２１に重なる場合がある。
【００３８】
ブラックマトリクス５２３（遮光膜）は、マトリクス状に配列された複数の反射層５２１の間隙部に形成されている。ブラックマトリクス５２３は、アクリル樹脂やポリイミド等を材料としてフォトリソグラフィー処理及びエッチング処理によって、格子状にパターニングして形成される。このように、ブラックマトリクス５２３は、各反射層５２１（サブ画素）を区画するように形成され、画素電極５１３周辺部分の表示が制御できない領域を通過する光を遮光することができるようになっている。
【００３９】
続けて、上記サブ画素５５１Ｒ，５５１Ｇ，５５１Ｂの反射層５２１の反射領域について図４を参照して詳細に説明する。
図４は、第２基板２上にマトリクス状に配列された複数のサブ画素の平面図である。
図４に示すように、各サブ画素５５１Ｒ，５５１Ｇ，５５１Ｂの反射層５２１の反射領域の面積は、サブ画素５５１Ｇの反射領域の面積がサブ画素５５１Ｒの反射領域の面積よりも大きくなるように形成され、サブ画素５５１Ｒの反射領域の面積がサブ画素５５１Ｂの反射領域の面積よりも大きくなるように形成されている。具体的なサブ画素５５１Ｒ，５５１Ｇ，５５１Ｂの反射領域の面積の割合（反射領域の面積と透過領域５２１ａの面積の合計を１００とする）は、サブ画素５５１Ｇを５５％，サブ画素５５１Ｒを５０％，サブ画素５５１Ｂを４５％としている。各反射領域の面積は、各サブ画素５５１Ｒ，５５１Ｇ，５５１Ｂの反射領域の外形の面積は一定であるため、反射領域内に設けられる透過領域５２１ａの面積を異ならせることにより調整することができる。即ち、反射領域の面積は、透過領域５２１ａの面積の変動に伴って変動する。従って、本実施形態において、サブ画素５５１Ｒ，５５１Ｇ，５５１Ｂの透過領域５２１ａの面積の割合は、サブ画素５５１Ｇが４５％，サブ画素５５１Ｒを５０％，サブ画素５５１Ｂを５５％となる。
【００４０】
ここで、本実施形態において、各サブ画素の反射層５２１の反射領域の面積の大きさの割合は、液晶表示装置１００の観察者の視感度に基づいて設定されている。例えば、一般的な観察者は、液晶表示装置１００の各サブ画素５５１Ｒ，５５１Ｇ，５５１Ｂからの射出光に対する感度特性が異なる。即ち、観察者にとっては、サブ画素５５１Ｒからの射出光である青色の光に対しては、サブ画素５５１Ｇからの射出光である緑色の光よりも感度特性が弱い。従って、上述したように、各サブ画素５５１Ｒ，５５１Ｇ，５５１Ｂの反射層５２１の反射領域の面積は、サブ画素５５１Ｇの反射領域の面積がサブ画素５５１Ｒの反射領域の面積よりも大きくなるように形成され、サブ画素５５１Ｒの反射領域の面積がサブ画素５５１Ｂの反射領域の面積よりも大きくなるように形成されている。
【００４１】
以上説明したように、本実施形態によれば、異なる色の各サブ画素５５１Ｒ，５５１Ｇ，５５１Ｂ毎に反射領域の面積を異ならせると同時に、観察者の視感度に応じて透過領域５２１ａの面積を、異なる色の各サブ画素サブ画素５５１Ｒ，５５１Ｇ，５５１Ｂ毎に異ならせることができる。これにより、複数の画素間の境界を識別することが可能となり、観察者の視認性を確保することができるとともに、観察者の視感度に近い感度特性を実現することができる。
【００４２】
再び図２に示すように、透過領域５２１ａを有する反射層５２１、着色層５２２Ｒ，５２２Ｇ，５２２Ｂを含む第２基板の内面には、これらを覆うようにオーバーコート層５２４が形成されている。さらに、オーバーコート層５２４の上面には、複数の透明導電材料からなるデータ線５２７（電極）が形成されている。詳細には、図３に示すように、データ線５２７は、各サブ画素５５１Ｒ，５５１Ｇ，５５１Ｂの長辺方向の幅を有し、第１基板３の走査線１４と交差する方向に延在して形成されている。また、第１基板３の画素電極５１３と第２基板２のデータ線５２７とは互いに対向して配置され、一対の電極を形成している。このような構成により、第１基板３上の画素電極５１３と第２基板２上のデータ線５２７との間に電圧が印加され、両電極によって挟まれた液晶４の配向状態が変化するようになっている。また、上記データ線５２７上には配向膜９が形成されている。この配向膜９は、ポリイミド等の有機薄膜であり、電圧が印加されていないときの液晶４の配向方向を規定するためのラビング処理が施されている。
【００４３】
また、図２に示すように、第１基板３の外面側（外側の表面）には、位相差板１７と、上偏光板１３とが、この順に第１基板３上に積層されて設けられている。
一方、第２基板２の外面側（外側の表面）には、１／４波長板１８と、下偏光板１９とが設けられている。
【００４４】
次に、図１，４に示した液晶表示装置１００の第１基板３の走査線１４に接続されるＴＦＤ素子５１５と第２基板２のデータ線５２７等を等価回路に示して説明する。
図５に示すように、液晶表示装置１００の画像表示領域においては、複数の画素６１５がマトリクス状に構成されている。また、液晶表示装置１００は第１駆動ＩＣ２０１及び第２駆動ＩＣ２０２を含んでおり、複数の走査線１４（対向電極２３に相当）と、該走査線１４と交差する複数のデータ線５２７とが設けられ、データ線５２７は第１駆動ＩＣ２０１からの信号を、走査線１４は第２駆動ＩＣ２０２からの信号を各画素６１５に供給する。そして、各画素６１５において、データ線５２７と走査線１４との間にＴＦＤ素子５１５と液晶表示要素１６（液晶層）とが直列に接続されている。なお、図２では、ＴＦＤ素子５１５がデータ線５２７側に接続され、液晶表示要素１６が走査線１４側に接続されているが、これとは逆にＴＦＤ素子５１５を走査線１４側に、液晶表示要素１６をデータ線５２７側に設ける構成としても良い。
【００４５】
以上のような回路構成により、ＴＦＤ素子５１５のスイッチング特性に基づいて液晶表示要素１６が駆動制御されるとともに、その液晶表示要素１６の駆動に基づいて画素６１５毎に明暗表示がなされ、液晶表示装置１００の表示領域ＤＳＰにおいて画像表示が行われるものとされている。
【００４６】
次に、上述した液晶表示装置１００による反射型表示及び透過型表示する場合の表示方法について説明する。
上記液晶表示装置１００が透過型表示する場合、まず、バックライト５から光が射出され、第２基板２に入射する。第２基板２への入射光は、反射層５２１の透過領域５２１ａ及び所定の着色部５２２等を通過することによって、所定の色に着色される。そして、所定の色に着色された入射光は、オーバーコート層５２４，データ線５２７，配向膜９，液晶４，第１基板３の画素電極５１３，第１基板３を通過し、観察側へと射出される。このように、バックライト５から射出された光が一対の第１基板３及び第２基板２を通過することにより、所定の色に着色された光が射出され、観察者にカラー表示として視認されるようになっている。
【００４７】
一方、液晶表示装置１００が反射型表示する場合（バックライト５が消灯している場合）、観察側の太陽光や室内照明等の外光は、第１基板３側から入射し、第１基板３の画素電極５１３、配向膜１５、液晶層４、配向膜９、データ線５２７、オーバーコート層５２４を通過して第２基板２に形成される反射層５２１に入射する。入射光は反射層５２１によって、再び、入射したときと同様の経路を経て第１基板３側に反射される。なお、入射光は、反射層５２１に入射すると同時に、反射層５２１に設けられる着色層５２２に入射するが、着色層５２２の直下は透過領域５２１ａである。そのため、入射光は、観察側に反射されることなく第２基板２を通過する。このように、外光等から入射した光が第２基板２の反射層５２１に反射されることによって、白色光が観察側に射出され、観察者に白黒表示として視認されるようになっている。
以上説明したように、本実施形態の液晶表示装置１００は、透過表示時（バックライト点灯時）にはカラー表示をし、反射表示時（バックライト消灯時）には白黒表示をすることが可能となっている。
【００４８】
続けて、上述したような液晶表示装置１００を用いて、赤表示領域の画素６１５を赤表示し、緑表示領域の画素６１５を緑表示した場合の観察者の視認性について、従来法と本実施形態の液晶表示装置を用いて比較して説明する。
【００４９】
まず、従来法の液晶表示装置の場合について説明する。
本実施形態の液晶表示装置は、第２基板の複数のサブ画素Ｒ，Ｇ，Ｂ毎に形成される反射層の外形の面積が略等しく形成され、さらに、反射層に設けられる透過領域の面積も略等しく形成されている。
この液晶表示装置において、透過表示時の場合、赤表示領域ではサブ画素Ｒのみがバックライトからの射出光を通過させるため、観察者は、Ｒ（赤）色を認識する。同様にして、緑表示領域では観察者はＧ（緑）色を認識する。
続けて、反射表示の場合、赤表示領域では、バックライトが消灯しており、透過領域５２１ａ，着色層を光が透過しないため、サブ画素Ｒ，Ｇ，Ｂから観察側に着色された光は射出されない。一方、サブ画素Ｒでは、第１基板に形成されるＴＦＤ素子がオン状態となっているため、外光等からの入射光が反射層によって反射され観察側に射出される。このとき、射出光は着色されていないため白色光となり、サブ画素Ｒは白色表示領域となる。他のサブ画素Ｇ，Ｂでは、第１基板に形成されるＴＦＤ素子がオフ状態となっているため、外光等の入射光は、サブ画素Ｇ，Ｂに対応する液晶層を通過することができない。従って、外光等の入射光が反射されることはなく、係るサブ画素は黒色表示領域となる。
同様にして、緑表示領域でも、バックライトが消灯しているため観察側に光は射出されない。一方、外光等からの入射光により、サブ画素Ｇの反射層では外光等からの入射光が反射され観察側に射出される。
【００５０】
この従来の液晶表示装置の反射表示時の場合、赤表示領域と緑表示領域の反射層の面積は等しく形成されているため、赤表示領域のサブ画素Ｒから射出される光量と、緑表示領域のサブ画素Ｇから射出される光量とは等しくなる。従って、赤表示領域及び緑表示領域からは、同じ光量の反射光が射出される。そのため、観察者は、赤表示領域と緑表示領域との境界を認識することができない場合がある。
【００５１】
次に、本実施形態の液晶表示装置の場合について説明する。
図５に示すように、従来の液晶表示装置と異なる点は、第２基板２の複数のサブ画素５５１に形成される反射層５２１の外形の面積が略等しく形成され、この反射層５２１に設けられる透過領域５２１ａの面積の大きさが、各サブ画素５５１Ｒ，５５１Ｇ，５５１Ｂ毎に異なるよう形成されている点である。なお、透過表示時については、透過領域５２１ａを通過する光の透過率は各サブ画素５５１毎に異なるが、その他は従来の液晶表示装置の場合と同様の構成であるため説明を省略する。
【００５２】
反射表示時の場合、従来の液晶表示装置と同様に、サブ画素５５１Ｒでは、外光等からの入射光が反射層５２１によって反射され観察側に射出される。このとき、射出される光は着色されていないため白色光となり、サブ画素５５１Ｒは白色表示領域となる。他のサブ画素５５１Ｇ，５５１Ｂでは、外光等の入射光は反射されることはなく、サブ画素５５１Ｇ，５５１Ｂは黒色表示領域となる。
同様にして、緑表示領域でも、サブ画素５５１Ｇでは、外光等からの入射光が反射層５２１によって反射され観察側に射出される。このとき、射出される光は着色されていないため白色光となり、サブ画素５５１Ｇは白色表示領域となる。他のサブ画素５５１Ｒ，５５１Ｂでは、外光等の入射光は反射されることはなく、サブ画素５５１Ｇ，５５１Ｂは黒色表示領域となる。
【００５３】
ここで、本実施形態の液晶表示装置１００の場合、上述したように、赤表示領域のサブ画素５５１Ｒの反射領域の面積は、緑表示領域のサブ画素５５１Ｇの反射領域の面積よりも小さくなるように形成されている。従って、上記各サブ画素５５１Ｒ，５５１Ｇ，５５１Ｂへの入射光の光量が等しい場合、赤表示領域のサブ画素５５１Ｒの反射層５２１が射出する光量は、緑表示領域のサブ画素５５１Ｇの反射層５２１が射出する光量よりも少なくなる。よって、反射表示時、隣接する赤表示領域及び緑表示領域間においては、明度差が生じ、観察者は隣接する赤表示領域及び緑表示領域間の境界を識別することができ、観察者の視認性を確保することができる。
【００５４】
［第２の実施形態］
次に、本実施形態の液晶表示装置について図を参照して説明する。
上記第１実施形態と異なる点は、各サブ画素５５１Ｒ，５５１Ｇ，５５１Ｂの反射層５２１の反射率をサブ画素５５１を区画するブラックマトリクス５２３の面積を変えることによって、各サブ画素５５１Ｒ，５５１Ｇ，５５１Ｂの反射層５２１の反射率を異ならせている点である。その他の液晶表示装置の基本構成は第１の実施形態と同様であり、共通の構成要素には同一の符号を付し、詳細な説明は省略する。
【００５５】
図６は、第２基板２上にマトリクス状に配列された複数のサブ画素５５１の平面図である。
図６に示すように、第２基板２上には、サブ画素５５１Ｒ，５５１Ｇ，５５１Ｂの順に規則的に配列されている。また、これらのサブ画素５５１Ｒ，５５１Ｇ，５５１Ｂは所定の間隔を空けて形成され、これらの間隙部にはブラックマトリクス５２３が形成されている。
【００５６】
図４に示すように、各サブ画素５５１Ｒ，５５１Ｇ，５５１Ｂの反射層５２１の反射領域の面積は、サブ画素５５１Ｇの反射領域の面積がサブ画素５５１Ｒの反射領域の面積よりも大きくなるように形成され、サブ画素５５１Ｒの反射領域の面積がサブ画素５５１Ｂの反射領域の面積よりも大きくなるように形成されている。
本実施形態においては、各サブ画素５５１Ｒ，５５１Ｇ，５５１Ｂの反射領域の面積は、各サブ画素５５１Ｒ，５５１Ｇ，５５１Ｂの反射層５２１を区画するブラックマトリクス５２３の面積の大きさを異ならせることによって設定する。例えば、サブ画素５５１の長辺方向に隣接するサブ画素５５１，５５１との間隙部のブラックマトリクス５２３の幅Ｈを伸縮させることにより調整することができる。具体的には、サブ画素５５１Ｇ，５５１Ｇ間のブラックマトリクス５２３の幅Ｈ２を、サブ画素５５１Ｒ，５５１Ｒ間のブラックマトリクス５２３の幅Ｈ１よりも小さく設定する。同様に、サブ画素５５１Ｒ，５５１Ｒ間のブラックマトリクス５２３の幅Ｈ１を、サブ画素５５１Ｂ，５５１Ｂ間のブラックマトリクス５２３の幅Ｈ３よりも小さく設定する。
【００５７】
なお、各サブ画素５５１の反射層５２１の反射領域の面積の大きさの割合は、観察者の視感度に応じて設定することも好ましい。また、各サブ画素５５１の反射層５２１の反射領域の面積の大きさの割合を観察者の視感度に関係なく、各サブ画素毎の反射領域の面積を異ならせることも好ましい。さらに、各サブ画素の短辺方向に隣接するサブ画素間のブラックマトリクス５２３の幅を調整することにより、反射領域の面積を異ならせることも好ましい。
【００５８】
本実施形態によれば、各サブ画素５５１の反射層５２１に設けられる透過領域５２１ａの面積を異ならせることなく、各サブ画素５５１の反射領域の面積を異ならせることができる。従って、透過表示時、使用するバックライト５から射出される分光特性のＲ（赤），Ｇ（緑），Ｂ（青）色のピーク波長の強度が等しい等の場合には、表示の際の色再現性を低下させることなく、観察者の視認性を確保することができる。
【００５９】
[第３の実施形態]
次に、本実施形態の液晶表示装置について図を参照して説明する。
上記第１実施形態と異なる点は、各サブ画素５５１Ｒ，５５１Ｇ，５５１Ｂの反射層５２１の反射率を、各サブ画素５５１Ｒ，５５１Ｇ，５５１Ｂに対応する反射層５２１に凹凸を形成することによって、各サブ画素Ｒ，Ｇ，Ｂの反射層５２１の反射率を異ならせている点である。その他の液晶表示装置の基本構成は第１の実施形態と同様であり、共通の構成要素には同一の符号を付し、詳細な説明は省略する。
【００６０】
図７は、第２基板２上にマトリクス状に配列された複数のサブ画素５５１の断面図である。
図７に示すように、第２基板２上には、各サブ画素５５１Ｒ，５５１Ｇ，５５１Ｂ毎に対応して、反射層５２１が存在する反射領域と、反射層５２１が存在しない領域に透過領域５２１ａとが形成されている。そして、各サブ画素５５１Ｒ，５５１Ｇ，５５１Ｂの透過領域５２１ａ上には、着色層５２２Ｒ，５２２Ｇ，５２２Ｂがそれぞれ形成されている。
【００６１】
本実施形態において、図７に示すように、反射層５２１は、所定のピッチの凹凸が形成された樹脂層６上に形成されている。そのため、樹脂層６上に形成される反射層５２１も同様に、樹脂層６の凹凸に伴った凹凸が形成されている。ここで、各サブ画素５５１Ｒ，５５１Ｇ，５５１Ｂの反射層５２１に形成される凹凸のピッチは、各サブ画素５５１Ｒ，５５１Ｇ，５５１Ｂ毎に異なって形成されている。具体的には、サブ画素５５１Ｇの凹凸のピッチがサブ画素５５１Ｒの凹凸のピッチよりも細かくなるように形成され、サブ画素５５１Ｒの凹凸のピッチがサブ画素５５１Ｂの凹凸のピッチよりも細かくなるように形成されている。
【００６２】
本実施形態によれば、凹凸のピッチが細かいサブ画素５５１Ｇの場合、入射光の散乱度が高く正反射の方向に強く反射されるため、入射光の反射率が高くなり観察者側に射出される光量は多くなる。一方、凹凸のピッチがサブ画素５５１Ｇよりも粗い場合、入射光の散乱度が低く正反射の方向に強く反射されるため、入射光の反射率が低くなり観察者側に射出される光量も少なくなる。これにより、各サブ画素５５１Ｒ，５５１Ｇ，５５１Ｂの反射層５２１に凹凸を設けることによって、各サブ画素５５１Ｒ，５５１Ｇ，５５１Ｂ毎の反射光の散乱度を異ならせることができ、反射表示時、隣接する画素６１５間において明度差が生じ、観察者は隣接する画素間の境界を識別することができる。
【００６３】
[第４の実施形態]
次に、本実施形態の液晶表示装置について図を参照して説明する。
上記第１実施形態と異なる点は、各サブ画素５５１Ｒ，５５１Ｇ，５５１Ｂの反射層５２１の反射率を、サブ画素の反射層５２１に透過領域５２１ａの開口部とは異なる開口部２０を形成することによって、各サブ画素５５１Ｒ，５５１Ｇ，５５１Ｂの反射層５２１の反射率を異ならせている点である。その他の液晶表示装置の基本構成は第１の実施形態と同様であり、共通の構成要素には同一の符号を付し、詳細な説明は省略する。
【００６４】
図８は、第２基板２上にマトリクス状に配列された複数のサブ画素５５１の平面図である。
図８に示すように、第２基板２上には、サブ画素５５１Ｒ，５５１Ｇ，５５１Ｂの順に規則的に配列されている。各サブ画素５５１Ｒ，５５１Ｇ，５５１Ｂの反射層５２１の反射領域の面積は、サブ画素５５１Ｇの反射領域の面積がサブ画素５５１Ｒの反射領域の面積よりも大きくなるように形成され、サブ画素５５１Ｒの反射領域の面積がサブ画素５５１Ｂの反射領域の面積よりも大きくなるように形成されている。
【００６５】
各サブ画素の反射領域の面積は、各サブ画素の反射層５２１に開口部２０を形成することによって各サブ画素の反射領域の面積を異ならせている。具体的には、Ａｌ等の金属から構成される反射層５２１の一部を除去して、反射層５２１に開口部２０を形成することによって各サブ画素の反射領域の面積を異ならせている。これにより、開口部２０が形成されたサブ画素５５１の反射領域の面積を小さくすることができる。
図８に示すように、サブ画素５５１Ｂの反射領域に形成される開口部２０の面積は、サブ画素５５１Ｒの反射領域に形成される開口部２０の面積よりも大きくなるように形成されている。一方、サブ画素５５１Ｇの反射領域には開口部２０は形成されていない。これにより、上述したように、サブ画素５５１Ｇの反射領域の面積がサブ画素５５１Ｒの反射領域の面積よりも大きくなるように形成し、サブ画素５５１Ｒの反射領域の面積がサブ画素５５１Ｂの反射領域の面積よりも大きくなるように形成することができる。この結果、各サブ画素５５１Ｒ，５５１Ｇ，５５１Ｂ毎に、反射領域の反射率を異ならせることができる。なお、上記反射領域に形成する開口部２０上には、透過領域５２１ａと異なり、着色層５２２Ｒ，５２２Ｇ，５２２Ｂが形成されていない。また、各サブ画素５５１Ｒ，５５１Ｇ，５５１Ｂの反射領域に形成する開口部２０の位置は、反射領域内であれば任意の位置に形成することができ、さらに、複数の開口部２０を形成することも好ましい。
【００６６】
本実施形態によれば、上記第２実施形態と同様に、各サブ画素５５１Ｒ，５５１Ｇ，５５１Ｂの反射層５２１に設けられる透過領域５２１ａの面積を異ならせることなく、各サブ画素５５１Ｒ，５５１Ｇ，５５１Ｂの反射領域の面積を異ならせることができる。従って、透過表示時、使用するバックライト５から射出される分光特性のＲ（赤），Ｇ（緑），Ｂ（青）のピーク波長の強度が等しい等の場合には、色再現性を低下させることなく、観察者の視認性を確保することができる。
【００６７】
[第５の実施形態]
上記第１の実施形態と異なる点は、各サブ画素５５１Ｒ，５５１Ｇ，５５１Ｂの反射層５２１に設ける透過領域５２１ａの位置を変えることにより、各サブ画素５５１Ｒ，５５１Ｇ，５５１Ｂの反射層５２１の反射率を異ならせている点である。変形例においては、透過領域５２１ａである開口部が、各サブ画素５５１Ｒ，５５１Ｇ，５５１Ｂの反射層５２１の図９中下方に形成されている。
また、各サブ画素５５１Ｒ，５５１Ｇ，５５１Ｂの反射層５２１に設ける透過領域５２１ａの開口部を複数設けることにより、各サブ画素５５１Ｒ，５５１Ｇ，５５１Ｂの反射層５２１の反射率を異ならせることも可能である。
【００６８】
<電子機器>
図１０は、本発明に係る電子機器の一例を示す斜視構成図である。
図１０に示す映像モニタ１２００は、上記実施形態の液晶表示装置を備えた表示部１２０１と、筐体１２０２と、スピーカ１２０３等を備えて構成されている。そして、この映像モニタ１２００は、上記液晶表示装置を搭載することにより高輝度、高画質であり、かつムラの少ない表示が可能である。
【００６９】
上記実施形態の液晶表示装置は、上記映像モニタに限らず、携帯電話、電子ブック、パーソナルコンピュータ、デジタルスチルカメラ、ビューファインダ型あるいはモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等々の画像表示手段として好適に用いることができ、いずれの電子機器においても、明るく高画質の表示が得られるものとなっている。
次に、上述した液晶表示装置を備えた電子機器の例について、図１０を用いて説明する。図１は、液晶表示テレビジョンの斜視図である。上述した液晶表示装置は、液晶表示テレビジョン３００の筐体内部に配置されている。
【００７０】
なお、上述した液晶表示テレビジョンは、携帯電話以外にも種々の電子機器に適用することができる。例えば、液晶プロジェクタ、マルチメディア対応のパーソナルコンピュータ（ＰＣ）及びエンジニアリング・ワークステーション（ＥＷＳ）、ページャ、ワードプロセッサ、テレビ、ビューファインダ型又はモニタ直視型のビデオテープレコーダ、電子手帳、電子卓上計算機、カーナビゲーション装置、ＰＯＳ端末、タッチパネルを備えた装置などの電子機器に適用することが可能である。
【００７１】
なお、本発明の技術範囲は、上述した実施形態に限定されるものではなく、本発明の趣旨を逸脱しない範囲において、上述した実施形態に種々の変更を加えたものを含む。また、本発明の趣旨を逸脱しない範囲において、上述した実施形態同士を組み合わせても良い。
【００７２】
例えば、上記実施形態においては、原色表示領域に原色表示をする場合について説明した。これに代えて、２（３）つのサブ画素５５１により表示した領域に、２（３）つのサブ画素５５１を表示する場合であっても適用可能である。
また、異なる色のサブ画素５５１毎に反射領域の反射率を異ならせる手段として、各サブ画素５５１内に走査線１４、データ線５２７を形成することにより、各サブ画素５５１毎に反射領域の反射率を異ならせることも可能である。
また、異なる色のサブ画素５５１毎に反射領域の反射率を異ならせる手段として、各サブ画素５５１の反射層５２１に重なるように、セルギャップを規定するためのスペーサーを形成することにより、各サブ画素５５１毎に反射領域の反射率を異ならせることも可能である。
また、異なる色のサブ画素５５１毎に反射領域の反射率を異ならせる手段として、各サブ画素５５１内に入射する光量を調整するフィルタを形成することにより、各サブ画素５５１毎に反射領域の反射率を異ならせることも可能である。
また、上記各実施形態では、反射領域に着色層を設けない構成としたが、反射領域に対応する単一色の着色層、例えば、緑の着色層を設けて単色の階調表示領域とし、白黒表示ではなく単色の階調表示としても良い。この場合、単一色の着色層を、透過領域に対応する着色層と同時に形成し、反射領域に重なる領域に配置することができる。
また、上記各実施形態では、反射層としたが、反射層は反射電極であっても良い。
また、白黒表示又は単色の階調表示に実質的に影響を与えない範囲で、反射領域の一部に着色層を配置することも可能である。
また、上記各実施形態では、アクティブ素子としてＴＦＤ素子を用いた液晶表示装置を例に説明したが、アクティブ素子としてＴＦＴを用いた液晶表示装置に本発明を適用してもよい。さらに、横電界駆動方式の液晶表示装置に本発明を適用しても良い。
さらに、上記各実施形態では、着色層を、赤（Ｒ）、緑（Ｇ）、青（Ｂ）に対応させたが、赤（Ｒ）、緑（Ｇ）、青（Ｂ）以外、例えば、イエロー、シアン、マゼンタなどに対応させても良い。
【図面の簡単な説明】
【００７３】
【図１】図１は、本発明の液晶表示装置を模式的に示す平面図である。
【図２】図２は、図１に示す液晶表示装置の構成を示す断面図である。
【図３】図３は、液晶表示パネルの要部を示す斜視図である。
【図４】図４は、第１実施形態の各サブ画素の反射領域を示す平面図である。
【図５】図５は、図１に示す液晶表示装置の等価回路を示す図である。
【図６】図６は、第２実施形態の各サブ画素の反射領域を示す平面図である。
【図７】図７は、第３実施形態の各サブ画素の反射領域を示す断面図である。
【図８】図８は、第４実施形態の各サブ画素の反射領域を示す平面図である。
【図９】図９は、第５実施形態の各サブ画素の反射領域を示す平面図である。
【図１０】図１０は、本発明の電子機器の一実施形態を示す斜視図である。
【符号の説明】
【００７４】
２…第２基板、  ３…第１基板、  ４…液晶、５…照明装置（バックライト）、  ２０…開口部、  ５００…液晶パネル、  ５１３…画素電極、  ５１５…ＴＦＤ、  ５２１…反射層、  ５２１ａ…透過領域、  ５２２Ｒ，５２２Ｇ，５２２Ｂ…着色層、  ５２３…ブラックマトリクス（遮光膜）、  ５５１Ｒ，５５１Ｇ，５５１Ｂ…サブ画素、  ６１５…画素
【図１】
2006071987.tif 000003
【図２】
2006071987.tif 000004
【図３】
2006071987.tif 000005
【図４】
2006071987.tif 000006
【図５】
2006071987.tif 000007
【図６】
2006071987.tif 000008
【図７】
2006071987.tif 000009
【図８】
2006071987.tif 000010
【図９】
2006071987.tif 000011
【図１０】
2006071987.tif 000012